(57)【要約】【課題】テーパー用毛を用いた歯ブラシにおいて、歯グキに対する痛みが少なく使用感が良好で、なお且つ毛束の抜け強度に優れた歯ブラシを提供する。【解決手段】植毛面２ａに複数の植毛穴６が設けられたヘッド部２を備え、このヘッド部２の各植毛穴６に毛先に向かうに従って径が細くなるテーパー用毛４の毛束３が植設されてなる歯ブラシであって、複数の植毛穴６が、上面開口部から底面に向かって漸次径が細くなるテーパー形状を有する。【選択図】図３
0003148931.tif 000002
【実用新案登録請求の範囲】
【請求項１】
植毛面に複数の植毛穴が設けられたヘッド部を備え、このヘッド部の各植毛穴にテーパー用毛の毛束が植設されてなる歯ブラシであって、
前記複数の植毛穴は、上面開口部から底面に向かって漸次径が細くなるテーパー形状を有することを特徴とする歯ブラシ。
【請求項２】
前記植毛穴のテーパー形状を為す側面の角度が、前記植毛面の垂線に対して１〜３゜の範囲にあることを特徴とする請求項１に記載の歯ブラシ。
【請求項３】
前記植毛穴の側面には、前記毛束の抜け止めとなる突起部が設けられていることを特徴とする請求項１又は２に記載の歯ブラシ。
【請求項４】
前記毛束は、複数本のテーパー用毛を束ねて二つ折りにし、その間に平線を挟んで前記植毛穴に打ち込むことによって植設されていることを特徴とする請求項１〜３の何れか一項に記載の歯ブラシ。
【考案の詳細な説明】
【技術分野】
【０００１】
本考案は、テーパー用毛を用いた歯ブラシの改良に関する。
【背景技術】
【０００２】
近年、衛生志向の高まりにより様々な口腔内清掃具、口腔内洗浄剤などが開発されている。また、口腔内清掃具である歯ブラシでは、従来より歯面や歯頸部、歯間部などの細部における歯垢除去効果を高めるための様々な工夫が行われている。例えば、毛先に向かうに従って径が細くなるテーパー用毛を用いた歯ブラシは、歯の隙間における清掃性を高めることが可能である。
【０００３】
ところで、従来のストレート用毛を植毛穴に植設する場合には、使用性の良い歯ブラシとするため、毛束が広がらないように植毛を行っている。一方、テーパー用毛を植毛穴に植設する場合に、ストレート用毛と同様に毛束が広がらないよう植毛を行うと、毛先が細くなっているため、毛先が歯と歯グキとの隙間に集中的に入り込み、歯グキに痛みが発生し易いといった課題が生じてしまう。
【０００４】
このため、テーパー用毛を植毛穴に植設する場合には、従来は毛束が広がり易くなるように植毛穴に植設される毛束の本数を多くすることが行われている。しかしながら、植毛穴に植設される毛束の本数が多くなると、植毛時に植毛穴の周囲に割れが発生し易くなるといった問題が発生してしまう。また、テーパー用毛は、ストレート用毛に比べて、歯と歯の隙間に入り込み易いことから、刷掃時に用毛が歯の隙間に引っ掛かり、用毛が抜け易くなるといった問題もある。
【０００５】
一般に、植毛穴に植設された毛束は、太い毛に比べて細い毛の方が、その抜け強度（植毛穴の外周に位置する１本のテーパー用毛を抜き取るときの引張り強度）が低い。また、テーパー用毛の方がストレート用毛よりも抜け強度が低い。
【０００６】
一方、毛束の抜け強度を高めた歯ブラシも提案されている（例えば、特許文献１〜４を参照。）。しかしながら、テーパー用毛を用いた歯ブラシでは、毛束の抜け強度を高めるだけでなく、毛先が歯と歯グキとの隙間に集中的に入り込むことを防ぐ必要があるため、植毛穴に植設された毛束が広がり易くなるような工夫が必要となる。
【特許文献１】実開平２−１４５１２３号公報
【特許文献２】特開平４−２６１６０５号公報
【特許文献３】特開平５−６８３２８号公報
【特許文献４】特開２００５−１８５３９９号公報
【考案の開示】
【考案が解決しようとする課題】
【０００７】
本考案は、このような従来の事情に鑑みて提案されたものであり、テーパー用毛を用いた歯ブラシにおいて、歯グキに対する痛みが少なく使用感が良好で、なお且つ毛束の抜け強度に優れた歯ブラシを提供することを目的とする。
【課題を解決するための手段】
【０００８】
上記目的を達成するために、本考案は以下の手段を提供する。
すなわち、請求項１に係る考案は、植毛面に複数の植毛穴が設けられたヘッド部を備え、このヘッド部の各植毛穴にテーパー用毛の毛束が植設されてなる歯ブラシであって、複数の植毛穴が、上面開口部から底面に向かって漸次径が細くなるテーパー形状を有することを特徴とする歯ブラシである。
【０００９】
また、請求項２に係る考案は、植毛穴のテーパー形状を為す側面の角度が、植毛面の垂線に対して１〜３゜の範囲にあることを特徴とする請求項１に記載の歯ブラシである。
【００１０】
また、請求項３に係る考案は、植毛穴の側面に、毛束の抜け止めとなる突起部が設けられていることを特徴とする請求項１又は２に記載の歯ブラシである。
【００１１】
また、請求項４に係る考案は、毛束が、複数本のテーパー用毛を束ねて二つ折りにし、その間に平線を挟んで前記植毛穴に打ち込むことによって植設されていることを特徴とする請求項１〜３の何れか一項に記載の歯ブラシである。
【考案の効果】
【００１２】
以上のように、本考案の請求項１に係る歯ブラシでは、複数の植毛穴を上面開口部から底面に向かって漸次径が細くなるテーパー形状とすることで、植毛穴に植設された毛束が適度に広がることになる。これにより、テーパー用毛の毛先が歯と歯グキとの隙間に集中的に入り込むことを防ぐことができ、歯グキに対する痛みが少ない良好な使用感を得ると共に、毛束の抜け強度を高めることができる。
【００１３】
また、本考案の請求項２に係る歯ブラシでは、植毛穴のテーパー形状を為す側面の角度を植毛面の垂線に対して１〜３゜の範囲とすることで、植毛穴に植設された毛束の広がり具合を最適化し、歯グキに対する痛みの低減、毛束の抜け強度の向上、及び植毛ワレの防止を図ることができる。
【００１４】
また、本考案の請求項３に係る歯ブラシでは、植毛穴の側面に毛束の抜け止めとなる突起部を設けることで、植毛穴に植設された毛束の抜け強度を更に高めることができる。
【００１５】
また、本考案の請求項４に係る歯ブラシでは、毛束を二つ折りにし、その間に平線を挟んで植毛穴に植設する場合において、植毛穴の周囲に割れが発生し易くなるといった問題を防ぐことができる。
【考案を実施するための最良の形態】
【００１６】
以下、本考案を適用した歯ブラシについて、図面を参照して詳細に説明する。
なお、以下の説明で用いる図面は、特徴をわかりやすくするために、便宜上特徴となる部分を模式的に示している場合があり、各構成要素の寸法比率などが実際と同じであるとは限らない。また、場合によって毛束の図示を省略し、毛束が植毛される植毛穴のみを示すものとする。
【００１７】
図１は、本考案を適用した歯ブラシ１の一例を示すものであり、図１は、この歯ブラシ１の特徴部分として、図示を省略するブラシハンドルの先端に設けられたヘッド部２を示す。
【００１８】
この歯ブラシ１は、図１に示すように、硬質樹脂材料により成形されたブラシハンドルの先端にヘッド部２を備えている。ブラシハンドルに使用される硬質樹脂材料としては、例えば、ポリプロピレン、ポリエチレン、ポリエチレンテレフタレート、ポリシクロヘキシレンジメチレンテレフタレート、飽和ポリエステル樹脂、ポリメタクリル酸メチル、プロピオン酸セルロース、ポリウレタン、ポリアミド、ＡＢＳ（アクロル二トリル・ブタジエン・スチレン）などの熱可塑性樹脂材料を挙げることができるが、これらの材料に必ずしも限定されるものではない。また、ブラシハンドルのヘッド部２に連なるハンドル部についても、その形状や大きさ、デザイン等は、特に限定されるものではなく、任意に変更して実施することができる。
【００１９】
ヘッド部２は、口腔内を清掃しやすい形状であればよく、通常は２〜６ｍｍ程度の厚みで略直方体状に形成されている。そして、このヘッド部２の一面（植毛面という。）２ａには、複数の毛束３が植設されている。
【００２０】
各毛束３は、その中央部から両端の毛先に向かって漸次径が細くなる図２に示すようなテーパー用毛４によって構成されている。具体的に、このテーパー用毛４は、その材質については特に限定されるものではなく、例えば、ポリアミド（例：６−１２ナイロン、６−１０ナイロン）、ポリエステル（例：ポリエチレンテレフタレート、ポリブチレンテレフタレート、ポリトリメチレンテレフタレート）、ポリオレフィン（例：ポリプロピレン）、エラストマー（例：オレフィン系、スチレン系）などの合成樹脂材料を用いることができる。また、これらの樹脂材料を複数組み合わせて用いてもよく、例えば芯鞘構造などのように、芯部と鞘部で異なる樹脂材料を用いることもできる。その中でも、テーパー用毛８には、所定の長さにカットされたポリブチレンテレフタレートからなる用毛（フィラメント）をアルカリ性加水分解処理剤に浸漬し溶解することで毛先をテーパー状としたものを用いることが好ましい。
【００２１】
また、テーパー用毛４の横断面形状は、好ましく円形であるが、そのような形状に必ずしも限定されるものではなく、例えば、楕円形、多角形（例えば、三角形、四角形、五角形、六角形など。）異形（例えば、星形、三つ葉のクローバー形、四つ葉のクローバー形など。）等とすることができ、歯ブラシ１の目的用途に応じて任意の形状とすることができる。さらに、テーパー用毛４は、スパイラル状にしたり、エンボス等を設けたりしてもよい。
【００２２】
テーパー用毛４の毛丈は、ヘッド部２の植毛面２ａから、大人用で８ｍｍ〜１３ｍｍ、子供用で６ｍｍ〜９ｍｍとすることが好ましい。テーパー用毛４の太さ（最大径）は、口腔内の使用性や使用感の点から、０．１５ｍｍ〜０．２５ｍｍであることが好ましい。また、使用感や、刷掃感、清掃効果、耐久性など考慮して、太さの異なる複数本のテーパー用毛４を任意に組み合わせて用いてもよい。
【００２３】
そして、各毛束３は、図３に拡大して示すように、複数本のテーパー用毛４を束ねて二つ折りにし、その間に平線５と呼ばれる抜止め具を挟んでヘッド部２の一面（植毛面）２ａに設けられた植毛穴６に打ち込むことによって植設されている。
【００２４】
平線５は、植毛穴６の中心部を通り、且つ、植毛穴６を跨ぐように植毛穴６に打設されている。平線５の材質としては、例えば、真鍮やステンレスなどの金属を挙げることができ、その他にも硬質プラスチックや生分解性プラスチッなどを挙げることができる。平線５は、その長さが植毛穴６の直径よりも大であり、その幅が植毛穴６の深さよりも小である。また、平線５の長さや幅、厚みについては、毛束３や植毛穴６に合わせて任意に調整すればよい。特に、平線５の厚みを調節することによって、毛束３を植毛穴６内に確実に固定して空隙を少なくすることができる。また、平線５は、植毛穴６からの抜けを防ぐため、その両端の植毛穴１６からはみ出した部分（打設部分）の長さの合計が０．３〜０．６ｍｍであることが好ましい。
【００２５】
ヘッド部２の植毛面２ａには、通常はヘッド部２の長さ方向や幅方向において、円形の植毛穴６が格子状や千鳥状に所定の間隔で複数並んで配置されるが、植毛穴６の配置や間隔、それらの組み合わせ等については、特に限定されるものではなく、歯ブラシ１の目的用途に応じて任意の変更することができる。植毛穴６の深さは３〜４ｍｍ、植毛穴６の直径は、１．５〜２．５ｍｍ、隣接する植毛穴６の間隔は０．５〜１．５ｍｍであることが好ましい。また、植毛穴６の横断面形状は、上述したテーパー用毛４を束ねた毛束３の形状に合わせて通常は円形であるが、そのような形状に限定されるものではなく、上述したテーパー用毛４を束ねた毛束３の形状に合わせて任意の形状とすることができる。また、植毛穴６の底面は、面取りを施した平面形状とする以外にも、その断面形状を例えば半円状や矩形状などとしてもよい。
【００２６】
ところで、本考案を適用した歯ブラシ１では、図３に示すように、ヘッド部２の植毛面２ａに設けられた複数の植毛穴６が、その上面開口部から底面に向かって漸次径が細くなるテーパー形状を有している。
【００２７】
この場合、植毛穴６に植設された毛束３は、植毛穴６のテーパー形状を為す側面に沿って適度に広がることになる。これにより、本考案を適用した歯ブラシ１では、各毛束３を構成するテーパー用毛４の毛先が歯と歯グキとの隙間に集中的に入り込むことを防ぐことができ、刷掃時に歯グキに対する痛みが少ない良好な使用感を得ることが可能である。
【００２８】
また、この歯ブラシ１では、植毛穴６をテーパー形状とすることで、植毛穴６に植設される毛束３の下部における植毛密度（植毛穴の断面積に対する毛束の総断面積）を高め、毛束３の抜け強度を向上させることが可能である。
【００２９】
なお、植毛穴６をテーパー形状とした場合は、上述したブラシハンドルを成形する際の離型性も良くなる。また、上記突起部７の形状は、離型性の観点からアンダーカットとならない形状とすることが好ましい。
【００３０】
また、植毛穴６のテーパー形状を為す側面の角度（テーパー角度という。）θは、図４に拡大して示すように、植毛面２ａの垂線に対して１〜３゜の範囲にあることが好ましい。これにより、植毛穴６に植設された毛束３の広がり具合を最適化することができ、歯グキに対する痛みの低減、毛束の抜け強度の向上、及び植毛ワレの防止を図ることができる。
【００３１】
さらに、本考案を適用した歯ブラシ１では、図４に示すように、植毛穴４の側面に毛束３の抜け止めとなる突起部７を設けた構成とすることも可能である。具体的に、この突起部７は、植毛穴４の側面から周方向に亘って突出形成されると共に、深さ方向に連続しながら複数並んで設けられている。
【００３２】
本考案を適用した歯ブラシ１では、このような毛束３の抜け止めとなる突起部７を設けることで、植毛穴６に植設された毛束３の抜け強度を更に高めることが可能である。なお、上記突起部７は、毛束３の抜け強度を高める上で、植毛穴６の深さ方向の略中間部より下方に位置する方が効果的である。また、上記突起部７の形状や数については、上記図４に示す形状に限らず、適宜変更して実施することが可能である。
【００３３】
なお、本考案は、上記歯ブラシ１に適用したものに限らず、例えば電気的に駆動される電動歯ブラシやその取替用ブラシなどにも適用可能である。
【実施例】
【００３４】
以下、実施例により本考案の効果をより明らかなものとする。なお、本考案は、以下の実施例に限定されるものではなく、その要旨を変更しない範囲で適宜変更して実施することができる。
【００３５】
（実施例１〜３及び比較例１〜３）
本実施例では、先ず、表１に示すように、植毛穴の形状を異ならせた実施例１〜３及び比較例１〜３の歯ブラシを作製した。
【００３６】
なお、各歯ブラシには、ポリプロピレン(ＰＰ)樹脂からなるブラシハンドルを用いた。また、ヘッド部の植毛面には、円形の植毛穴が先端側より３列／４列×６行／３列（計３０穴）並んで配置されている。また、各植毛穴の間隔は、長さ方向／幅方向＝２．５ｍｍ／２．２ｍｍである。また、各植毛穴の径はφ１．５ｍｍ（上端開口部）、深さは３．８ｍｍである。毛束には、ポリブチレンテレフタレート樹脂からなるテーパー用毛（中央部最大径０．１９０ｍｍ）を用い、毛束の本数は２１本／穴とした。平線は、真鍮製で０．２５×１．５×２．０ｍｍである。
【００３７】
また、実施例１〜３及び比較例１〜３の歯ブラシにおける植毛穴の形状は、図５（ａ）〜（ｄ）に示すとおりである。すなわち、図５中において、（ａ）は、上面開口部から底面に亘って漸次径が細くなるテーパー形状の植毛穴Ａを示す。（ｂ）は、植毛穴Ａの側面に複数の突起部を設けた植毛穴Ｂである。（ｃ）は、上面開口部から底面に亘って径が一定（テーパー角度θ＝０゜）の植毛穴Ｃである。（ｄ）は、上面開口部から深さ方向の中途部に亘って径が一定（テーパー角度θ＝０゜）、且つその中途部から底面に亘って縮径された径が一定（テーパー角度θ＝０゜）の植毛穴Ｄである。
【００３８】
【表１】
0003148931.tif 000003
【００３９】
そして、これら実施例１〜３及び比較例１〜６の歯ブラシについて、「歯グキの痛み」、「毛抜け強度」、及び「植毛ワレ」の評価試験を行い、その「総合評価」を行った。以下、その評価結果を表２に示す。
【００４０】
【表２】
0003148931.tif 000004
【００４１】
なお、「歯グキの痛み」については、１０名の専門パネラーによる官能評価を行い、以下の７段階による各パネラーの評価平均とした。
＜評価基準＞
７…「全く痛みなし」  
６…「ほとんど痛みなし」  
５…「あまり痛みなし」  
４…「どちらとも言えない」  
３…「やや痛みあり」  
２…「かなり痛みあり」  
１…「非常に痛みあり」  
【００４２】
「毛抜け強度」については、島津製作所社製の引張圧縮試験機を用いて、植毛穴の外周に位置する１本のテーパー用毛を抜き取るときの引張り強度（Ｍａｘ／Ｍｉｎ）［Ｎ］を測定した。
【００４３】
「植毛ワレ」については、各歯ブラシを１０００本作製したときの割れの発生率（％）から評価した。
【００４４】
表２に示す評価結果から、実施例１〜３の電動歯ブラシは、比較例１〜３の電動歯ブラシと比較して、「歯グキの痛み」、「毛抜け強度」、及び「植毛ワレ」の何れの評価も良好な結果を示したことから、総合評価について良好な結果が得られた。
【図面の簡単な説明】
【００４５】
【図１】図１は、本考案を適用した歯ブラシの一例を示す側面図である。
【図２】図２は、テーパー用毛の一例を示す側面である。
【図３】図３は、植毛穴に植設された毛束を拡大して示す断面図である。
【図４】図４は、植毛穴の変形例を示す断面図である。
【図５】図５は、本実施例に示す各植毛穴の形状を示す断面図である。
【符号の説明】
【００４６】
１…歯ブラシ  ２…ヘッド部  ２ａ…植毛面  ３…毛束  ４…テーパー用毛  ５…平線  ６…植毛穴  ７…突起部
【図１】
0003148931.tif 000005
【図２】
0003148931.tif 000006
【図３】
0003148931.tif 000007
【図４】
0003148931.tif 000008
【図５】
0003148931.tif 000009